(57)【要約】      （修正有）【課題】化粧用コットンにおいて、一個の化粧用コットンを、簡単に均等に剥がすことができ、しかも、美麗な化粧用コットンを提供する。【解決手段】適宜な厚み寸法を有する矩形状のシート状コットン１ａを設け、シート状コットン１ａを複数枚、積層して構成した化粧用コットン１である。化粧用コットン１の厚みαを二分し、一方の層Ｘと他方の層Ｙを、それぞれ異なった２色に着色した。【選択図】図２
0003186774.tif 000002
【実用新案登録請求の範囲】
【請求項１】
適宜な厚み寸法を有する矩形状のシート状コットン（１ａ）を設け、該コットンを複数枚、積層して構成した化粧用コットン（１）において、該コットン（１）の厚み（α）を二分し、一方の層（Ｘ）と他方の層（Ｙ）を、それぞれ異なった２色に着色したことを特徴とする化粧用コットン。
【請求項２】
化粧用コットン（１）の一方の層（ＸまたはＹ）と他方の層（ＹまたはＸ）の厚み寸法を、同等の厚みにしたことを特徴とする請求項１記載の化粧用コットン。
【請求項３】
化粧用コットン（１）の一方の層（ＸまたはＹ）が、白色、他方の層（ＹまたはＸ）がピンク色であるか、あるいは、それぞれの層を反対色で着色したことを特徴とする請求項１記載の化粧用コットン。
【請求項４】
異なった２色に着色したシート状コットン（１ａ）を、複数枚積層したものを、１又は複数を透明のケース（Ｚ）に収納したことを特徴とする請求項１または２または３記載の化粧用コットン。
【考案の詳細な説明】
【技術分野】
【０００１】
この考案は、化粧用コットンに関するものであり、特に、乳液や粘度のある美容液を含ませて塗布又はパックしたり、顔面の汚れを拭き取ったりするに好適なものである。
【背景技術】
【０００２】
従来、化粧用コットンは、適宜な大きさの矩形状のコットンシートを、複数枚積層・圧着して構成されており、その色は清潔さをイメージする白色が使用されている。
【０００３】
しかし、看護師が着用する衣服も白衣と呼ばれ、清潔をイメージする白色であったが、近年は、ピンクや薄いブルーの色のものも使用されており、「清潔な色＝白色」にこだわらない時代となっている。
【０００４】
しかしながら、化粧用コットンは、未だに白色一色で構成されている。
【０００５】
そして、近年、化粧用コットンは、乳液や美容液等の粘度のある化粧液を含ませて顔面に貼着して美容パックをする，コットンパックに使用されている。
【０００６】
さらに、この美容パックに使う化粧用コットンは、経済上、一枚のコットンを、複数枚に剥がして使用しているが、変な箇所で剥がすと、使用時に繊維がコットンから離脱し、皮膚等に付着し、変な感触となる欠点があった。
【０００７】
また、使用する際には、ブロック状に沢山積層され収納されているケースの中から１個の化粧用コットンを取り出し、さらに、この１個のコットンを均等に２つに剥がすことは、その作業は煩雑であった。
【０００８】
即ち，一方を、厚く、他方を薄く剥がし、それぞれに乳液等を含ませたコットンを顔面に貼着すれば、効能において差異が生じる可能性がある。
【０００９】
従来公知の文献として使い捨ての化粧用パフがあり、さらに、熱圧着された化粧用パフが存在するがいずれも、１個の化粧用コットンを均等に２分するような技術は開示されていないものであった。例えば、特許文献１および特許文献２のように。
【先行技術文献】
【特許文献】
【００１０】
【特許文献１】実公昭５９−２６８８６号公報
【特許文献２】実公平０１−２２５７２号公報
【考案の概要】
【考案が解決しようとする課題】
【００１１】
そこで、この考案の課題は、化粧用コットンにおいて、一個の化粧用コットンを、簡単に均等に剥がすことができ、しかも、美麗を化粧用コットを開発・提供することにある。
【課題を解決するための手段】
【００１２】
そこで、この考案は、上記の課題を解決すべく、鋭意研究を重ねた結果、適宜の厚みに形成された１個の化粧用コットンを、２色の異なった色のコットンに形成し、見た目に美麗でしかも、この厚みを、簡単に、しかも均等に２分すること出来る化粧用コットンを開発・提供するものである。
【考案の効果】
【００１３】
この考案によると、化粧用コットンは、シート状コットン（１ａ）を２色の異なった色に形成しているため、該シート状コットンを２つに剥いで使用する場合にはこれらの異なった色の境が目視で判別できるため、簡単に２分することができるという効果を奏する。  
【００１４】
また、化粧用コットン（１）の一方の層（Ｘ）と他方の層（Ｙ）の各厚み寸法を、同等の厚みに形成したことにより、厚みの均一なコットンとなり、乳液等の粘度のある化粧液を塗布して顔面等の身体に付けても、均一に広がるため、美容効果に優れた効果を奏する。
【００１５】
さらに、化粧用コットン（１）の一方の層（ＸまたはＹ）が、白色、他方の層（ＹまたはＸ）がピンク色にすることにより、祝儀の引出物等にも利用でき、あるいは、それぞれの層を反対色で着色したことにより、洒落た豪華な化粧用コットンに構成できる等の効果がある。
【００１６】
また、異なった２色に着色したシート状コットン（１ａ）を、複数枚積層したものを、１又は複数を透明のケース（Ｚ）に収納したことにより、外部から見ても美麗であり、店頭等で展示しても目に付きやすい化粧用コットンとなり、売上げ増加に貢献できるという効果を奏する。
【図面の簡単な説明】
【００１７】
【図１】この考案の一実施例を示す斜視図である。
【図２】この考案の一実施例を示す一部拡大欠截斜視図である。
【図３】この考案をケースに収納した一例を示す斜視図である。
【考案を実施するための形態】
【００１８】
以下、本発明について詳細に説明する。なお、本発明においては、以下の記述に限定されるものではなく、本発明の要旨を逸脱しない範囲においては適宜変更可能である。
【実施例】
【００１９】
次に、この考案の一実施例を図面に基づいて詳述すると、適宜な厚み寸法を有する矩形状のシート状コットン（１ａ）を設け、該コットンを複数枚、積層して構成した化粧用コットン（１）において、該コットン（１）の厚み（α）を二分し、一方の層（Ｘ）と他方の層（Ｙ）を、それぞれ異なった２色に着色した化粧用コットンから構成される。
【００２０】
そして、化粧用コットン（１）の一方の層（ＸまたはＹ）と他方の層（ＹまたはＸ）の厚み寸法（α）を、同等の厚みにした化粧用コットンである。
【００２１】
さらに、化粧用コットン（１）の一方の層（ＸまたはＹ）が、白色、他方の層（ＹまたはＸ）がピンク色であるか、あるいは、それぞれの層を反対色で着色した化粧用コットンである。
【００２２】
尚、反対色とは、対象色ともいい、色相環にある色の対角線上に位置する２色の組み合わせのことであり、例えば、赤色には青緑色、橙色には青色、黄色には青紫色等をいう。  
【００２３】
また、異なった２色に着色したシート状コットン（１ａ）を、複数枚積層したものを、１又は複数を透明のケース（Ｚ）に収納した化粧用コットンである。
【産業上の利用可能性】
【００２４】
この考案の化粧用コットンの技術を確立し、実施することにより、産業上利用できるものである。
【符号の説明】
【００２５】
１  化粧用コットン
１ａ  シート状コットン
α  厚み寸法
Ｘ  一方の層
Ｙ  他方の層
Ｚ  透明のケース
【図１】
0003186774.tif 000003
【図２】
0003186774.tif 000004
【図３】
0003186774.tif 000005